(57)【要約】      （修正有）【課題】安全性の高い加熱調理器を提供する。【解決手段】加熱調理器は、本体１０と、本体の上部に設けられたトッププレート２０とを有する。本体の内部に収容されている少なくとも１つの熱源部に対応しているトッププレートの加熱領域２１、２２、２３に被加熱物が載置される。加熱調理器は、加熱領域の本体の前後方向における位置を触覚により示す第１識別部５０，６０、７０と、加熱領域の本体の左右方向における位置を触覚により示す第２識別部５１、６１、７１とを有する。第１識別部は、本体の左右方向を向く横側面の少なくとも一方に形成されている。第２識別部は、本体の前方向を向く側面に形成されている。【選択図】図１
2019168122.tif 000002
【特許請求の範囲】
【請求項１】
本体と、前記本体の上部に設けられたトッププレートとを有し、前記本体の内部に収容されている少なくとも１つの熱源部に対応している前記トッププレートの加熱領域に被加熱物を載置して加熱する加熱調理器であって、
前記本体の左右方向を向く横側面の少なくとも一方に形成され、前記加熱領域の前記本体の前後方向における位置を触覚により示す第１識別部と、
前記本体の前方向を向く側面若しくは前記本体において上面の前方側に形成され、前記加熱領域の前記本体の左右方向における位置を触覚により示す第２識別部とを備える加熱調理器。
【請求項２】
前記第１識別部は、前記本体の前後方向における前記加熱領域の中心を示し、前記第２識別部は、前記本体の左右方向における前記加熱領域の中心を示すよう形成されている請求項１に記載の加熱調理器。
【請求項３】
前記第１識別部の形成位置から前記本体の横側面の表面を上下方向に沿って上方に延び、さらに前記トッププレートの表面を前記本体の左右方向に沿って前記本体の中心に向かって延びる延長線と、前記第２識別部の形成位置から前記本体の前側面の表面を上下方向に沿って上方に延び、さらに前記トッププレートの表面を前記本体の前後方向に沿って前記本体の中心に向かって延びる延長線との交点が、前記加熱領域の中心と対応するよう、前記第１識別部及び前記第２識別部は位置決めされている請求項２に記載の加熱調理器。
【請求項４】
前記第１識別部の形成位置から前記本体の横側面の表面を上下方向に沿って上方に延び、さらに前記トッププレートの表面を前記本体の左右方向に沿って前記本体の中心に向かって延びる延長線と、前記第２識別部の形成位置から前記トッププレートの表面を前記本体の前後方向に沿って前記本体の中心に向かって延びる延長線との交点が、前記加熱領域の中心と対応するよう、前記第１識別部及び前記第２識別部は位置決めされている請求項２に記載の加熱調理器。
【請求項５】
前記第２識別部は、前記本体の上部において前方端部に形成されている請求項４に記載の加熱調理器。
【請求項６】
前記第２識別部は、前記本体の上部において前方側に設けられた操作パネルに設けられた、前記熱源部のオンオフを操作するスイッチに形成されている請求項４に記載の加熱調理器。
【請求項７】
前記トッププレートにおいて、前記加熱領域として前記熱源部に対応する第１加熱領域と第２加熱領域とを有しており、
前記第１加熱領域の位置を示す前記第１識別部及び前記第２識別部と、前記第２加熱領域の位置を示す前記第１識別部及び前記第２識別部は、形状及び大きさの少なくとも一方が異なっている請求項２〜６のいずれか一項に記載の加熱調理器。
【請求項８】
前記第１識別部は前記加熱領域の前後方向における範囲を示し、前記第２識別部は、前記加熱領域の左右方向における範囲を示すよう、形成されている請求項１に記載の加熱調理器。
【請求項９】
前記第１識別部は、前記加熱領域の前方側の端部を示す前端部と、前記加熱領域の後方側の端部を示す後端部と、前記前端部と前記後端部とを接続する長尺部とを有し、
前記前端部の形成位置から前記本体の横側面の表面を上下方向に沿って上方に延び、さらに前記トッププレートの表面を前記本体の左右方向に沿って前記本体の中心に向かって延びる延長線上に、前記加熱領域の前方側の端部が位置し、前記後端部の形成位置から前記本体の横側面の表面を上下方向に沿って上方に延び、さらに前記トッププレートの表面を前記本体の左右方向に沿って前記本体の中心に向かって延びる延長線上に、前記加熱領域の後方側の端部が位置するよう、前記第１識別部は配置され、
前記第２識別部は、前記本体の前方向を向く側面に形成され、前記加熱領域の右側の端部を示す右端部と、前記加熱領域の左側の端部を示す左端部と、前記右端部と前記左端部とを接続する長尺部とを有し、
前記右端部の形成位置から前記本体の前側面の表面を上下方向に沿って上方に延び、さらに前記トッププレートの表面を前記本体の前後方向に沿って前記本体の中心に向かって延びる延長線上に、前記加熱領域の右側の端部が位置し、前記左端部の形成位置から前記本体の前側面の表面を上下方向に沿って上方に延び、さらに前記トッププレートの表面を前記本体の前後方向に沿って前記本体の中心に向かって延びる延長線上に、前記加熱領域の左側の端部が位置するよう、前記第２識別部は配置されている請求項８に記載の加熱調理器。
【請求項１０】
前記第１識別部は、前記加熱領域の前方側の端部を示す前端部と、前記加熱領域の後方側の端部を示す後端部と、前記前端部と前記後端部とを接続する長尺部とを有し、
前記前端部の形成位置から前記本体の横側面の表面を上下方向に沿って上方に延び、さらに前記トッププレートの表面を前記本体の左右方向に沿って前記本体の中心に向かって延びる延長線上に、前記加熱領域の前方側の端部が位置し、前記後端部の形成位置から前記本体の横側面の表面を上下方向に沿って上方に延び、さらに前記トッププレートの表面を前記本体の左右方向に沿って前記本体の中心に向かって延びる延長線上に、前記加熱領域の後方側の端部が位置するよう、前記第１識別部は配置され、
前記第２識別部は、前記本体の上部において前方側に設けられた操作パネルに形成され、前記加熱領域の右側の端部を示す右端部と、前記加熱領域の左側の端部を示す左端部とを有し、前記右端部の形成位置から前記トッププレートの表面を前記本体の前後方向に沿って前記本体の中心に向かって延びる延長線上に前記加熱領域の右側の端部が位置し、前記左端部の形成位置から前記トッププレートの表面を前記本体の前後方向に沿って前記本体の中心に向かって延びる延長線上に前記加熱領域の左側の端部が位置するよう、前記第２識別部は配置されている請求項８に記載の加熱調理器。
【請求項１１】
前記第１識別部及び前記第２識別部が使用者により接触されたことを検知する検知手段と、
前記加熱領域を音声により報知する音声報知手段と、
前記検知手段による検知結果に基づいて、前記音声報知手段を制御する制御手段とを備える請求項１〜１０のいずれか一項に記載の加熱調理器。
【発明の詳細な説明】
【技術分野】
【０００１】
本発明は、トッププレートに被加熱物を載置して加熱する加熱調理器に関する。
【背景技術】
【０００２】
従来、電気ヒータ及び誘導加熱ヒータなどで構成された複数の熱源部をトッププレートの下方に配置した加熱調理器がある。トッププレートにおいてこれらの熱源部に対応した加熱領域に被加熱物を載置し、加熱調理が行われる。トッププレートには、これらの熱源部に対応した位置に、例えば円形のマークが形成されている。使用者は、この円形のマークを視覚で確認し、加熱領域を把握して被加熱物を載置する。さらに、特許文献１に記載の加熱調理器は、トッププレートを保持する枠体の左右側部及び手前部に形成された突起状の識別部を備えている。使用者は、この識別部を手及び指で触ることにより、トッププレートにおける加熱領域の中心部を視覚に頼らずに把握することができる。
【先行技術文献】
【特許文献】
【０００３】
【特許文献１】特開２０１０−３８５１８号公報
【発明の概要】
【発明が解決しようとする課題】
【０００４】
特許文献１に記載の加熱調理器において、上述の識別部の中には、加熱領域の近傍に位置しているものがある。そのため、このような識別部を探す際、使用者が加熱領域に手及び指で触れてしまう場合がある。例えば加熱調理の直後のようにトッププレートの加熱領域が熱を帯びている場合には、使用者が誤って加熱領域に手及び指で触れてしまうと、やけどをする可能性がある。
【０００５】
本発明は、上述のような課題を背景としてなされたものであり、視覚によらず触覚により加熱領域を把握することができる加熱調理器であって、安全性の高い加熱調理器を提供することを目的としている。
【課題を解決するための手段】
【０００６】
本発明に係る加熱調理器は、本体と、前記本体の上部に設けられたトッププレートとを有し、前記本体の内部に収容されている少なくとも１つの熱源部に対応している前記トッププレートの加熱領域に被加熱物を載置して加熱する加熱調理器であって、前記本体の左右方向を向く横側面の少なくとも一方に形成され、前記加熱領域の前記本体の前後方向における位置を触覚により示す第１識別部と、前記本体の前方向を向く側面若しくは前記本体において上面の前方側に形成され、前記加熱領域の前記本体の左右方向における位置を触覚により示す第２識別部とを備えるものである。
【発明の効果】
【０００７】
本発明によれば、第１識別部は横側面に形成され、第２識別部は前方向を向く側面若しくは本体において上面の前方側に形成されている。そのため、使用者が視覚によらず指及び手の触覚のみで、加熱領域の位置を認識しようとする場合、誤って加熱領域を指及び手で触れることを防止できる。従って、加熱調理器の安全性を向上させることができる。
【図面の簡単な説明】
【０００８】
【図１】本発明の実施の形態１に係る加熱調理器の斜視図である。
【図２】本発明の実施の形態１に係る加熱調理器の機能ブロック図である。
【図３】本発明の実施の形態２に係る加熱調理器の斜視図である。
【図４】本発明の実施の形態３に係る加熱調理器の斜視図である。
【図５】本発明の実施の形態４に係る加熱調理器の斜視図である。
【図６】本発明の実施の形態５に係る加熱調理器の斜視図である。
【図７】本発明の実施の形態５に係る加熱調理器の斜視図である。
【図８】本発明の実施の形態５の変形例を示す斜視図である。
【図９】本発明の実施の形態６に係る加熱調理器の斜視図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ及び形状は、説明のためにわかりやすく表しており、実際の大きさ及び形状と異なる場合がある。
【００１０】
実施の形態１．
図１は、本発明の実施の形態１に係る加熱調理器の斜視図である。図１は、加熱調理器１を前側から示している。図１において、一部の部材は透視的に示されている。加熱調理器１は、本体１０と、本体１０の上部に設けられたトッププレート２０とを有している。本体１０は略直方体の形状を有し、トッププレート２０は略矩形の形状を有している。加熱調理器１は、システムキッチンに組み込むビルトインタイプの調理器ではなく、台若しくはテーブルの上に据え置いて使用するタイプの調理器である。本体１０の内部には少なくとも１つの、不図示の熱源部が収容されている。本実施の形態１では、３つの熱源部が収容されている。熱源部は、例えば、誘導加熱コイル若しくはラジエントヒーター等で構成されている。
【００１１】
トッププレート２０は、第１加熱領域２１、第２加熱領域２２、及び第３加熱領域２３を有している。第１加熱領域２１、第２加熱領域２２、及び第３加熱領域２３は、上述の本体１０の熱源部に対応している。使用者が第１加熱領域２１、第２加熱領域２２、及び第３加熱領域２３のそれぞれの位置を視覚で確認できるよう、第１加熱領域２１、第２加熱領域２２、及び第３加熱領域２３は、トッププレート２０において円形のマークで示されている。第１加熱領域２１、第２加熱領域２２、及び第３加熱領域２３には鍋等の被加熱物が載置される。すなわち、第１加熱領域２１、第２加熱領域２２、及び第３加熱領域２３は、被加熱物が載置される載置部である。
【００１２】
トッププレート２０において、加熱調理器１の前方側の縁部に操作パネル３０が設けられている。すなわち、操作パネル３０は、本体１０の上部において前方側に設けられている。操作パネル３０は、電源スイッチ３０Ａ、第１スイッチ群３１、第２スイッチ群３２、及び第３スイッチ群３３を有している。電源スイッチ３０Ａ、第１スイッチ群３１、第２スイッチ群３２、及び第３スイッチ群３３は、左右方向に沿って並置されている。電源スイッチ３０Ａは、加熱調理器１の主電源のオンオフを行うためのスイッチであり、操作パネル３０の右端部に形成されている。
【００１３】
第１スイッチ群３１は、第１加熱領域２１に対応する熱源部を制御するためのスイッチ群であり、操作パネル３０において右側に形成されている。第１スイッチ群３１は、第１オンオフスイッチ３１Ａと、第１モード選択スイッチ３１Ｂと、第１ＵＰスイッチ３１Ｃと、第１ＤＯＷＮスイッチ３１Ｄとを有している。第１オンオフスイッチ３１Ａは、第１加熱領域２１の熱源部のオンオフを行うためのスイッチである。第１モード選択スイッチ３１Ｂは、第１加熱領域２１における調理モードを選択するためのスイッチである。第１ＵＰスイッチ３１Ｃは、第１加熱領域２１における調理温度を上昇させるためのスイッチである。第１ＤＯＷＮスイッチ３１Ｄは、第１加熱領域２１における調理温度を下降させるためのスイッチである。
【００１４】
第２スイッチ群３２は、第２加熱領域２２に対応する熱源部を制御するためのスイッチ群であり、操作パネル３０において左側に形成されている。第２スイッチ群３２は、第２オンオフスイッチ３２Ａと、第２モード選択スイッチ３２Ｂと、第２ＵＰスイッチ３２Ｃと、第２ＤＯＷＮスイッチ３２Ｄとを有している。第２オンオフスイッチ３２Ａは、第２加熱領域２２の熱源部のオンオフを行うためのスイッチである。第２モード選択スイッチ３２Ｂは、第２加熱領域２２における調理モードを選択するためのスイッチである。第２ＵＰスイッチ３２Ｃは、第２加熱領域２２における調理温度を上昇させるためのスイッチである。第２ＤＯＷＮスイッチ３２Ｄは、第２加熱領域２２における調理温度を下降させるためのスイッチである。
【００１５】
第３スイッチ群３３は、第３加熱領域２３に対応する熱源部を制御するためのスイッチ群であり、操作パネル３０において、第１スイッチ群３１と第２スイッチ群３２の間、すなわち、略中央に形成されている。第３スイッチ群３３は、第３オンオフスイッチ３３Ａと、第３ＵＰスイッチ３３Ｃと、第３ＤＯＷＮスイッチ３３Ｄとを有している。第３オンオフスイッチ３３Ａは、第３加熱領域２３の熱源部のオンオフを行うためのスイッチである。第３ＵＰスイッチ３３Ｃは、第３加熱領域２３における調理温度を上昇させるためのスイッチである。第３ＤＯＷＮスイッチ３３Ｄは、第３加熱領域２３における調理温度を下降させるためのスイッチである。
【００１６】
本体１０の右方向を向く横側面１０Ｒに第１加熱領域２１のための第１識別部５０が設けられ、本体１０の前方向を向く前側面１０Ｆに第１加熱領域２１のための第２識別部５１が設けられている。本体１０の左方向を向く横側面１０Ｌに第２加熱領域２２のための第１識別部６０が設けられ、本体１０の前側面１０Ｆに第２加熱領域２２のための第２識別部６１が設けられている。本体１０の横側面１０Ｒに第３加熱領域２３のための第１識別部７０が設けられ、本体１０の前側面１０Ｆに第３加熱領域２３のための第２識別部７１が設けられている。
【００１７】
第１識別部５０、第２識別部５１、第１識別部６０、第２識別部６１、第１識別部７０、及び第２識別部７１は、直方体の形状を有しており、長手方向が本体１０の上下方向に沿うように、配置されている。第１識別部５０、第２識別部５１、第１識別部６０、第２識別部６１、第１識別部７０、及び第２識別部７１は、同一の大きさを有している。尚、第１識別部５０、第２識別部５１、第１識別部６０、第２識別部６１、第１識別部７０、及び第２識別部７１の形状は直方体に限るものでなく、三角柱、円柱等、他の形状でもよい。
【００１８】
第１識別部５０は、本体１０の前後方向における第１加熱領域２１の中心の位置を示すための識別部であり、第２識別部５１は、本体１０の左右方向における第１加熱領域２１の中心の位置を示すための識別部である。第１識別部６０は、本体１０の前後方向における第２加熱領域２２の中心の位置を示すための識別部であり、第２識別部６１は、本体１０の左右方向における第２加熱領域２２の中心の位置を示すための識別部である。第１識別部７０は、本体１０の前後方向における第３加熱領域２３の中心の位置を示すための識別部であり、第２識別部７１は、本体１０の左右方向における第３加熱領域２３の中心の位置を示すための識別部である。
【００１９】
図１には、延長線５２と延長線５３、延長線６２と延長線６３、及び延長線７２と延長線７３が示されている。延長線５２と延長線５３は、第１識別部５０及び第２識別部５１と第１加熱領域２１との位置関係を示すための仮想線である。延長線６２と延長線６３は、第１識別部６０及び第２識別部６１と第２加熱領域２２との位置関係を示すための仮想線である。延長線７２と延長線７３は、第１識別部７０及び第２識別部７１と第３加熱領域２３との位置関係を示すための仮想線である。
【００２０】
延長線５２は、第１識別部５０の形成位置から横側面１０Ｒの表面を上下方向に沿って上方に延び、さらにトッププレート２０の表面を左右方向に沿って本体１０の中心に向かって延びている。延長線５３は、第２識別部５１の形成位置から前側面１０Ｆの表面を上下方向に沿って上方に延び、さらにトッププレート２０の表面を前後方向に沿って本体１０の中心に向かって延びている。本実施の形態１では、延長線５２と延長線５３との交点が、第１加熱領域２１の中心２１Ｃと対応するよう、第１識別部５０と第２識別部５１は位置決めされている。
【００２１】
延長線６２は、第１識別部６０の形成位置から横側面１０Ｌの表面を上下方向に沿って上方に延び、さらにトッププレート２０の表面を左右方向に沿って本体１０の中心に向かって延びる直線である。延長線６３は、第２識別部６１の形成位置から前側面１０Ｆの表面を上下方向に沿って上方に延び、さらにトッププレート２０の表面を前後方向に沿って本体１０の中心に向かって延びる直線である。本実施の形態１では、延長線６２と延長線６３との交点が、第２加熱領域２２の中心２２Ｃと対応するよう、第１識別部６０と第２識別部６１は位置決めされている。
【００２２】
延長線７２は、第１識別部７０の形成位置から横側面１０Ｒの表面を上下方向に沿って上方に延び、さらにトッププレート２０の表面を左右方向に沿って本体１０の中心に向かって延びる直線である。延長線７３は、第２識別部７１の形成位置から前側面１０Ｆの表面を上下方向に沿って上方に延び、さらにトッププレート２０の表面を前後方向に沿って本体１０の中心に向かって延びる直線である。本実施の形態１では、延長線７２と延長線７３との交点が、第３加熱領域２３の中心２３Ｃと対応するよう、第１識別部７０と第２識別部７１は位置決めされている。
【００２３】
図２は、本発明の実施の形態１に係る加熱調理器の機能ブロック図である。加熱調理器１は、制御手段１１と、検知手段１４と、音声報知手段１５とを有している。
【００２４】
制御手段１１は、加熱調理器１を全体的に制御するものであり、ＣＰＵ、記憶部、及びＩ／Ｏポート等を備えたマイコンを有している。
【００２５】
検知手段１４は、タッチセンサー４１と、タッチセンサー４２と、タッチセンサー４３と、タッチセンサー４４と、タッチセンサー４５と、タッチセンサー４６を有している。タッチセンサー４１は第１識別部５０が使用者に接触されたことを検知するセンサーである。タッチセンサー４２は第２識別部５１が使用者に接触されたことを検知するセンサーである。タッチセンサー４３は第１識別部６０が使用者に接触されたことを検知するセンサーである。タッチセンサー４４は第２識別部６１が使用者に接触されたことを検知するセンサーである。タッチセンサー４５は第１識別部７０が使用者に接触されたことを検知するセンサーである。タッチセンサー４６は第２識別部７１が使用者に接触されたことを検知するセンサーである。
【００２６】
タッチセンサー４１、タッチセンサー４２、タッチセンサー４３、タッチセンサー４４、タッチセンサー４５、及びタッチセンサー４６の検知結果は、制御手段１１に入力される。制御手段１１は、検知結果が入力されたタッチセンサーに応じた音声メッセージを出力するよう、音声報知手段１５に制御信号を出力する。音声報知手段１５は、制御手段１１から入力された制御信号に応じて音声メッセージを出力する。
【００２７】
例えば、第１識別部５０及び第２識別部５１の少なくとも一方が使用者に接触されると、タッチセンサー４１及びタッチセンサー４２の少なくとも一方から制御手段１１に検知結果が入力される。そうすると、第１加熱領域２１に対応する識別部が接触されていることを示す音声メッセージが、音声報知手段１５から出力される。この場合、音声メッセージとして、例えば、「右ヒータの中央の位置です」というメッセージが出力される。
【００２８】
本実施の形態１によれば、第１識別部５０及び第１識別部７０は、本体１０の横側面１０Ｒに設けられ、第１識別部６０は、本体１０の横側面１０Ｌに設けられ、第２識別部５１、第２識別部６１、及び第２識別部７１は、本体１０の前側面１０Ｆに設けられている。そのため、使用者が視覚によらず指及び手の触覚のみで、第１加熱領域２１、第２加熱領域２２、及び第３加熱領域２３の位置を認識しようとする場合、誤って第１加熱領域２１、第２加熱領域２２、及び第３加熱領域２３を指及び手で触れることを防止できる。例えば、加熱調理直後、第１加熱領域２１、第２加熱領域２２、及び第３加熱領域２３の温度が十分に下がっていない場合において、使用者が指及び手にダメージを与えることが回避される。このように、本実施の形態１によれば、加熱調理器１の安全性を向上させることができる。
【００２９】
本実施の形態１では、第１識別部５０、第２識別部５１、第１識別部６０、第２識別部６１、第１識別部７０、及び第２識別部７１は、同一の形状及び同一の大きさを有している。従って、加熱調理器１の製造が容易である。
【００３０】
また、第１識別部５０、第２識別部５１、第１識別部６０、第２識別部６１、第１識別部７０、及び第２識別部７１に使用者の手が触れると、音声により対応する加熱領域が報知されるため、使い勝手がよい。
【００３１】
実施の形態２．
図３は、本発明の実施の形態２に係る加熱調理器の斜視図である。図３は、加熱調理器２を前側から示している。図３において、一部の部材は透視的に示され、図１に示す実施の形態１の加熱調理器１と同一の構成要素及び仮想線には同一の符号が付されている。操作パネル３０には、第２識別部５４と、第２識別部６４と、第２識別部７４が形成されている。第２識別部５４は、本体１０の左右方向における第１加熱領域２１の中心の位置を示すための識別部である。第２識別部６４は、本体１０の左右方向における第２加熱領域２２の中心の位置を示すための識別部である。第２識別部７４は、本体１０の左右方向における第３加熱領域２３の中心の位置を示すための識別部である。
【００３２】
第２識別部５４は、操作パネル３０において、第１オンオフスイッチ３１Ａの前方に形成されている。第２識別部６４は、操作パネル３０において、第２オンオフスイッチ３２Ａの前方に形成されている。第２識別部７４は、操作パネル３０において、第３オンオフスイッチ３３Ａの前方に形成されている。
【００３３】
図３には、延長線５２と延長線５５、延長線６２と延長線６５、及び延長線７２と延長線７５が示されている。延長線５２と延長線５５は、第１識別部５０及び第２識別部５４と、第１加熱領域２１との位置関係を示すための仮想線である。延長線６２と延長線６５は、第１識別部６０及び第２識別部６４と、第２加熱領域２２との位置関係を示すための仮想線である。延長線７２と延長線７５は、第１識別部７０及び第２識別部７４と、第３加熱領域２３との位置関係を示すための仮想線である。
【００３４】
延長線５５は、第２識別部５４の形成位置からトッププレート２０の表面を前後方向に沿って本体１０の中心に向かって延びている。本実施の形態２では、延長線５２と延長線５５との交点が、第１加熱領域２１の中心２１Ｃと対応するよう、第１識別部５０と第２識別部５４は位置決めされている。
【００３５】
延長線６５は、第２識別部６４の形成位置からトッププレート２０の表面を前後方向に沿って本体１０の中心に向かって延びている。本実施の形態２では、延長線６２と延長線６５との交点が、第２加熱領域２２の中心２２Ｃと対応するよう、第１識別部６０と第２識別部６４は位置決めされている。
【００３６】
延長線７５は、第２識別部７４の形成位置からトッププレート２０の表面を前後方向に沿って本体１０の中心に向かって延びている。本実施の形態２では、延長線７２と延長線７５との交点が、第３加熱領域２３の中心２３Ｃと対応するよう、第１識別部７０と第２識別部７４は位置決めされている。
【００３７】
本実施の形態２によれば、第１識別部５０、第１識別部６０、及び第１識別部７０は、実施の形態１と同様、本体１０の側面に形成され、第２識別部５４、第２識別部６４、及び第２識別部７４は、本体１０の上面の前方端部に配置される。実施の形態２では、操作パネル３０の他のスイッチ群よりも前方に形成されている。そのため、使用者が視覚によらず指及び手の触覚のみで、第１加熱領域２１、第２加熱領域２２、及び第３加熱領域２３の位置を認識しようとする場合、誤って第１加熱領域２１、第２加熱領域２２、及び第３加熱領域２３を指及び手で触れることを防止できる。従って、実施の形態１の上述の効果と同様の効果を得ることができる。
【００３８】
実施の形態３．
図４は、本発明の実施の形態３に係る加熱調理器の斜視図である。図４は、加熱調理器３を前側から示している。図４において、一部の部材は透視的に示され、図１に示す実施の形態１の加熱調理器１と同一の構成要素及び仮想線には同一の符号が付されている。操作パネル３０には、第２識別部５６と、第２識別部６６と、第２識別部７６が形成されている。第２識別部５６は、本体１０の左右方向における第１加熱領域２１の中心の位置を示すための識別部である。第２識別部６６は、本体１０の左右方向における第２加熱領域２２の中心の位置を示すための識別部である。第２識別部７６は、本体１０の左右方向における第３加熱領域２３の中心の位置を示すための識別部である。
【００３９】
第２識別部５６は、操作パネル３０において、第１オンオフスイッチ３１Ａの上面に形成されている。第２識別部６４は、操作パネル３０において、第２オンオフスイッチ３２Ａの上面に形成されている。第２識別部７４は、操作パネル３０において、第３オンオフスイッチ３３Ａの上面に形成されている。
【００４０】
延長線５７は、第２識別部５６の形成位置からトッププレート２０の表面を前後方向に沿って本体１０の中心に向かって延びている。本実施の形態３では、延長線５２と延長線５７との交点が、第１加熱領域２１の中心２１Ｃと対応するよう、第１識別部５０、第２識別部５６、及び第１オンオフスイッチ３１Ａは位置決めされている。
【００４１】
延長線６７は、第２識別部６６の形成位置からトッププレート２０の表面を前後方向に沿って本体１０の中心に向かって延びている。本実施の形態３では、延長線６２と延長線６７との交点が、第２加熱領域２２の中心２２Ｃと対応するよう、第１識別部６０、第２識別部６６、及び第２オンオフスイッチ３２Ａは位置決めされている。
【００４２】
延長線７７は、第２識別部７６の形成位置からトッププレート２０の表面を前後方向に沿って本体１０の中心に向かって延びている。本実施の形態３では、延長線７２と延長線７７との交点が、第３加熱領域２３の中心２３Ｃと対応するよう、第１識別部７０と第２識別部７６、及び第３オンオフスイッチ３３Ａは位置決めされている。
【００４３】
本実施の形態３によれば、第１識別部５０、第１識別部６０、及び第１識別部７０は、実施の形態１と同様、本体１０の側面に形成され、第２識別部５４、第２識別部６４、及び第２識別部７４は、操作パネル３０に形成されている。そのため、使用者が視覚によらず指及び手の触覚のみで、第１加熱領域２１、第２加熱領域２２、及び第３加熱領域２３の位置を認識しようとする場合、誤って第１加熱領域２１、第２加熱領域２２、及び第３加熱領域２３を指及び手で触れることを防止できる。従って、実施の形態２と同様の効果を得ることができる。
【００４４】
実施の形態４．
図５は、本発明の実施の形態４に係る加熱調理器の斜視図である。図５は、加熱調理器４を前側から示している。図５において、一部の部材は透視的に示され、図１に示す実施の形態１の加熱調理器１と同一の構成要素及び仮想線には同一の符号が付されている。本体１０の横側面１０Ｒに、第３加熱領域２３のための第１識別部８０が設けられ、本体１０の前側面１０Ｆに、第３加熱領域２３のための第２識別部８１が設けられている。
【００４５】
第１識別部５０、第２識別部５１、第１識別部６０、及び第２識別部６１は、実施の形態１で説明したように直方体の形状を有しており、長手方向が本体１０の上下方向に沿うように、配置されている。これに対し、本実施の形態４の第１識別部８０及び第２識別部８１は、三角柱の形状を有しており、三角柱の底面である三角形の頂点が本体１０の上方向を向くように配置されている。第１識別部８０及び第２識別部８１は同一の大きさを有している。第１識別部８０は、本体１０の前後方向における第３加熱領域２３の中心の位置を示すための識別部であり、第２識別部８１は、本体１０の左右方向における第３加熱領域２３の中心の位置を示すための識別部である。尚、第１識別部８０及び第２識別部８１を三角柱の形状としたが、これに限るものでなく、第１識別部５０、第２識別部５１、第１識別部６０、及び第２識別部６１の形状と異なるものであればよい。
【００４６】
図５には、延長線８２と延長線８３が示されている。延長線８２と延長線８３は、第１識別部８０及び第２識別部８１と、第３加熱領域２３との位置関係を示すための仮想線である。延長線８２は、第１識別部８０の形成位置から横側面１０Ｒの表面を上下方向に沿って上方に延び、さらにトッププレート２０の表面を左右方向に沿って本体１０の中心に向かって延びている。延長線８３は、第２識別部８１の形成位置から前側面１０Ｆの表面を上下方向に沿って上方に延び、さらにトッププレート２０の表面を前後方向に沿って本体１０の中心に向かって延びている。本実施の形態４では、延長線８２と延長線８３との交点が、第３加熱領域２３の中心と対応するよう、第１識別部８０と第２識別部８１は位置決めされている。その他の構成は、上述の実施の形態１と同様である。
【００４７】
本実施の形態４によれば、第１識別部５０、第２識別部５１、第１識別部６０、第２識別部６１、第１識別部８０、及び第２識別部８１は、実施の形態１と同様、本体１０の側面に形成されている。従って、上述の実施の形態１と同様の効果が得られる。
【００４８】
さらに、本実施の形態４においては、第１識別部５０、第２識別部５１、第１識別部６０、及び第２識別部６１の形状と、第１識別部８０及び第２識別部８１の形状は、異なっている。そのため、第１識別部５０、第２識別部５１、第１識別部６０、及び第２識別部６１と、第１識別部８０及び第２識別部８１とを、手及び指で触れたときの触覚により、明確に判別することができる。従って、使用者は、第１加熱領域２１及び第２加熱領域２２の位置と、第３加熱領域２３の位置を、手及び指の触覚のみでも、より容易に区別することができる。尚、第１識別部５０、第２識別部５１、第１識別部６０、及び第２識別部６１の大きさと、第１識別部８０及び第２識別部８１の大きさとを異なるように構成してもよく、形状を異なるように構成した場合と同様の効果が得られる。
【００４９】
実施の形態５．
図６及び図７は、本発明の実施の形態５に係る加熱調理器の斜視図である。図６及び図７は、加熱調理器５を前側から示している。図６及び図７において、図１に示す実施の形態１の加熱調理器１と同一の構成要素及び仮想線には同一の符号が付されている。尚、図６において、一部の部材は透視的に示されており、また、図の複雑化を避けるために一部の仮想線は省略されている。
【００５０】
本体１０の右方向を向く横側面１０Ｒに第１加熱領域２１のための第１識別部１００が設けられ、本体１０の前方向を向く前側面１０Ｆに第１加熱領域２１のための第２識別部１０１が設けられている。本体１０の左方向を向く横側面１０Ｌに第２加熱領域２２のための第１識別部１１０が設けられ、本体１０の前側面１０Ｆに第２加熱領域２２のための第２識別部１１１が設けられている。本体１０の横側面１０Ｒに第３加熱領域２３のための第１識別部１２０が設けられ、本体１０の前側面１０Ｆに第３加熱領域２３のための第２識別部１２１が設けられている。
【００５１】
第１識別部１００は、第１加熱領域２１の本体１０における前後方向の範囲を示すための識別部であり、第２識別部１０１は、第１加熱領域２１の本体１０における左右方向の範囲を示すための識別部である。第１識別部１１０は、第２加熱領域２２の本体１０における前後方向の範囲を示すための識別部であり、第２識別部１１１は、第２加熱領域２２の本体１０における左右方向の範囲を示すための識別部である。第１識別部１２０は、第３加熱領域２３の本体１０における前後方向の範囲を示すための識別部であり、第２識別部１２１は、第３加熱領域２３の本体１０における左右方向の範囲を示すための識別部である。
【００５２】
第１識別部１００は、直線状の長尺部１００Ａと、長尺部１００Ａの両端部に設けられた端部指示部１００Ｂ及び端部指示部１００Ｃとを有している。長尺部１００Ａの長さは、第１加熱領域２１の前後方向の長さより僅かに短い。第１識別部１００は、横側面１０Ｒにおいて、端部指示部１００Ｂが前側に位置し、端部指示部１００Ｃが後側に位置し、長尺部１００Ａが本体１０の前後方向に沿うよう、配置されている。端部指示部１００Ｂは、第１加熱領域２１の前方側の端部を示す前端部であり、端部指示部１００Ｃは、第１加熱領域２１の後方側の端部を示す後端部である。
【００５３】
第２識別部１０１は、直線状の長尺部１０１Ａと、長尺部１０１Ａの両端部に設けられた端部指示部１０１Ｂ及び端部指示部１０１Ｃとを有している。長尺部１０１Ａの長さは、第１加熱領域２１の左右の長さより僅かに短い。第２識別部１０１は、前側面１０Ｆにおいて、端部指示部１０１Ｂが右側に位置し、端部指示部１００Ｃが左側に位置し、長尺部１０１Ａが本体１０の左右方向に沿うよう、配置されている。端部指示部１０１Ｂは、第１加熱領域２１の右側の端部を示す右端部であり、端部指示部１００Ｃは、第１加熱領域２１の左側の端部を示す左端部である。
【００５４】
図６には、延長線１０２、延長線１０３、延長線１０４、及び延長線１０５が示されている。延長線１０２、延長線１０３、延長線１０４、及び延長線１０５は、第１識別部１００、第２識別部１０１、及び第１加熱領域２１の位置関係を示すための仮想線である。
【００５５】
延長線１０２は、第１識別部１００の端部指示部１００Ｂの形成位置から横側面１０Ｒの表面を上下方向に沿って上方に延び、さらにトッププレート２０の表面を左右方向に沿って本体１０の中心に向かって延びている。延長線１０３は、第１識別部１００の端部指示部１００Ｃの形成位置から横側面１０Ｒの表面を上下方向に沿って上方に延び、さらにトッププレート２０の表面を左右方向に沿って本体１０の中心に向かって延びている。延長線１０２上に第１加熱領域２１の前端部が位置し、延長線１０３上に第１加熱領域２１の後端部が位置するよう、第１識別部１００は配置されている。
【００５６】
延長線１０４は、第２識別部１０１の端部指示部１０１Ｂの形成位置から前側面１０Ｆの表面を上下方向に沿って上方に延び、さらにトッププレート２０の表面を前後方向に沿って本体１０の中心に向かって延びている。延長線１０５は、第２識別部１０１の端部指示部１０１Ｃの形成位置から前側面１０Ｆの表面を上下方向に沿って上方に延び、さらにトッププレート２０の表面を前後方向に沿って本体１０の中心に向かって延びている。延長線１０４上に第１加熱領域２１の右端部が位置し、延長線１０５上に第１加熱領域２１の左端部が位置するよう、第２識別部１０１は配置されている。
【００５７】
このように、端部指示部１００Ｂは、第１加熱領域２１の前方側の端部を示し、端部指示部１００Ｃは、第１加熱領域２１の後方側の端部を示しており、端部指示部１００Ｂと端部指示部１００Ｃは、長尺部１００Ａにより接続されている。また、端部指示部１０１Ｂは、第１加熱領域２１の左側の端部を示し、端部指示部１０１Ｃは、第１加熱領域２１の右側の端部を示しており、端部指示部１０１Ｂと端部指示部１０１Ｃは、長尺部１０１Ａにより接続されている。
【００５８】
第１識別部１１０は、直線状の長尺部１１０Ａと、長尺部１１０Ａの両端部に設けられた端部指示部１１０Ｂ及び端部指示部１１０Ｃとを有している。長尺部１１０Ａの長さは、第２加熱領域２２の前後方向の長さより僅かに短い。第１識別部１１０は、横側面１０Ｒにおいて、端部指示部１１０Ｂが前側に位置し、端部指示部１１０Ｃが後側に位置し、長尺部１１０Ａが本体１０の前後方向に沿うよう、配置されている。端部指示部１１０Ｂは、第２加熱領域２２の前方側の端部を示す前端部であり、端部指示部１１０Ｃは、第２加熱領域２２の後方側の端部を示す後端部である。
【００５９】
第２識別部１１１は、直線状の長尺部１１１Ａと、長尺部１１１Ａの両端部に設けられた端部指示部１１１Ｂ及び端部指示部１１１Ｃとを有している。長尺部１１１Ａの長さは、第２加熱領域２２の左右の長さより僅かに短い。第２識別部１１１は、前側面１０Ｆにおいて、端部指示部１１１Ｂが右側に位置し、端部指示部１１１Ｃが左側に位置し、長尺部１１１Ａが本体１０の左右方向に沿うよう、配置されている。端部指示部１１１Ｂは、第２加熱領域２２の右側の端部を示す右端部であり、端部指示部１１１Ｃは、第２加熱領域２２の左側の端部を示す左端部である。
【００６０】
図６には、延長線１１２と延長線１１３が示され、図７には、延長線１１４と延長線１１５が示されている。延長線１１２、延長線１１３、延長線１１４、及び延長線１１５は、第１識別部１１０及び第２識別部１１１と、第２加熱領域２２との位置関係を示すための仮想線である。
【００６１】
図６に示すように、延長線１１２は、第１識別部１１０の端部指示部１１０Ｂの形成位置から横側面１０Ｒの表面を上下方向に沿って上方に延び、さらにトッププレート２０の表面を左右方向に沿って本体１０の中心に向かって延びている。延長線１１３は、第１識別部１１０の端部指示部１１０Ｃの形成位置から横側面１０Ｒの表面を上下方向に沿って上方に延び、さらにトッププレート２０の表面を左右方向に沿って本体１０の中心に向かって延びている。延長線１１２上に第２加熱領域２２の前端部が位置し、延長線１１３上に第２加熱領域２２の後端部が位置するよう、第１識別部１１０は配置されている。
【００６２】
図７に示すように、延長線１１４は、第２識別部１１１の端部指示部１１１Ｂの形成位置から前側面１０Ｆの表面を上下方向に沿って上方に延び、さらにトッププレート２０の表面を前後方向に沿って本体１０の中心に向かって延びている。延長線１１５は、第２識別部１１１の端部指示部１１１Ｃの形成位置から前側面１０Ｆの表面を上下方向に沿って上方に延び、さらにトッププレート２０の表面を前後方向に沿って本体１０の中心に向かって延びている。延長線１１４上に第２加熱領域２２の右端部が位置し、延長線１１５上に第２加熱領域２２の左端部が位置するよう、第２識別部１１１は配置されている。
【００６３】
このように、端部指示部１１０Ｂは、第２加熱領域２２の前方側の端部を示し、端部指示部１１０Ｃは、第２加熱領域２２の後方側の端部を示しており、端部指示部１１０Ｂと端部指示部１１０Ｃは、長尺部１１０Ａにより接続されている。また、端部指示部１１１Ｂは、第２加熱領域２２の右側の端部を示し、端部指示部１１１Ｃは、第２加熱領域２２の左側の端部を示しており、端部指示部１１１Ｂと端部指示部１１１Ｃは、長尺部１１１Ａにより接続されている。
【００６４】
第１識別部１２０は、直線状の長尺部１２０Ａと、長尺部１２０Ａの両端部に設けられた端部指示部１２０Ｂ及び端部指示部１２０Ｃとを有している。長尺部１２０Ａの長さは、第３加熱領域２３の前後方向の長さより僅かに短い。第１識別部１２０は、横側面１０Ｒにおいて、端部指示部１２０Ｂが前側に位置し、端部指示部１２０Ｃが後側に位置し、長尺部１２０Ａが本体１０の前後方向に沿うよう、配置されている。端部指示部１２０Ｂは、第３加熱領域２３の前方側の端部を示す前端部であり、端部指示部１２０Ｃは、第３加熱領域２３の後方側の端部を示す後端部である。
【００６５】
第２識別部１２１は、直線状の長尺部１２１Ａと、長尺部１２１Ａの両端部に設けられた端部指示部１２１Ｂ及び端部指示部１２１Ｃとを有している。長尺部１２１Ａの長さは、第３加熱領域２３の左右の長さより僅かに短い。第２識別部１２１は、前側面１０Ｆにおいて、端部指示部１２１Ｂが右側に位置し、端部指示部１２１Ｃが左側に位置し、長尺部１２１Ａが本体１０の左右方向に沿うよう、配置されている。端部指示部１２１Ｂは、第３加熱領域２３の右側の端部を示す右端部であり、端部指示部１２１Ｃは、第３加熱領域２３の左側の端部を示す左端部である。
【００６６】
図６及び図７には、延長線１２２、延長線１２３、延長線１２４、及び延長線１２５が示されている。延長線１２２、延長線１２３、延長線１２４、及び延長線１２５は、第１識別部１２０及び第２識別部１２１と第３加熱領域２３との位置関係を示すための仮想線である。
【００６７】
延長線１２２は、第１識別部１２０の端部指示部１２０Ｂの形成位置から横側面１０Ｒの表面を上下方向に沿って上方に延び、さらにトッププレート２０の表面を左右方向に沿って本体１０の中心に向かって延びている。延長線１２３は、第１識別部１２０の端部指示部１２０Ｃの形成位置から横側面１０Ｒの表面を上下方向に沿って上方に延び、さらにトッププレート２０の表面を左右方向に沿って本体１０の中心に向かって延びている。延長線１２２上に第３加熱領域２３の前端部が位置し、延長線１２３上に第３加熱領域２３の後端部が位置するよう、第１識別部１２０は配置されている。
【００６８】
延長線１２４は、第２識別部１２１の端部指示部１２１Ｂの形成位置から前側面１０Ｆの表面を上下方向に沿って上方に延び、さらにトッププレート２０の表面を前後方向に沿って本体１０の中心に向かって延びている。延長線１２５は、第２識別部１２１の端部指示部１２１Ｃの形成位置から前側面１０Ｆの表面を上下方向に沿って上方に延び、さらにトッププレート２０の表面を前後方向に沿って本体１０の中心に向かって延びている。延長線１２４上に第３加熱領域２３の右端部が位置し、延長線１２５上に第３加熱領域２３の左端部が位置するよう、第２識別部１２１は配置されている。
【００６９】
このように、端部指示部１２０Ｂは、第３加熱領域２３の前方側の端部を示し、端部指示部１２０Ｃは、第３加熱領域２３の後方側の端部を示しており、端部指示部１２０Ｂと端部指示部１２０Ｃは、長尺部１２０Ａにより接続されている。また、端部指示部１２１Ｂは、第３加熱領域２３の右側の端部を示し、端部指示部１２１Ｃは、第３加熱領域２３の左側の端部を示しており、端部指示部１２１Ｂと端部指示部１２１Ｃは、長尺部１２１Ａにより接続されている。
【００７０】
横側面１０Ｒにおいて、第１識別部１００は第１識別部１２０よりも上方に位置している。前側面１０Ｆにおいて、第２識別部１０１及び第２識別部１１１は第２識別部１２１よりも上方に位置している。
【００７１】
図８は、本発明の実施の形態５の変形例を示す斜視図である。加熱調理器６において、第１加熱領域２１は、第２加熱領域２２よりも大きい。それに応じて、横側面１０Ｒの第１識別部は横側面１０Ｌの第１識別部より長く、また、前側面１０Ｆにおいて第２の識別は第２識別部より長くなっている。
【００７２】
以上のように、本実施の形態５によれば、第１識別部１００及び第１識別部１２０は、本体１０の横側面１０Ｒに設けられている。第１識別部１１０は、本体１０の横側面１０Ｌに設けられている。第２識別部１０１、第２識別部１１１、及び第２識別部１２１は、本体１０の前側面１０Ｆに設けられている。従って、実施の形態１の上述の効果と同様の効果を得ることができる。
【００７３】
また、本実施の形態５によれば、第１加熱領域２１は、第１識別部１００により本体１０における前後方向の範囲が示され、第２識別部１０１により第１加熱領域２１の本体１０における左右方向の範囲が示されている。また、第２加熱領域２２は、第１識別部１１０により本体１０における前後方向の範囲が示され、第２識別部１１１により本体１０における左右方向の範囲が示されている。また、第３加熱領域２３は、第１識別部１２０により本体１０における前後方向の範囲が示され、第２識別部１２１により本体１０における左右方向の範囲が示されている。そのため、使用者が視覚によらず指及び手の触覚のみで、第１加熱領域２１、第２加熱領域２２、及び第３加熱領域２３の位置を認識しようとする場合、それぞれの大きさ及び範囲を直感的に把握することができる。従って、誤って第１加熱領域２１、第２加熱領域２２、及び第３加熱領域２３を指及び手で触れることをより効果的に防止できる。
【００７４】
実施の形態６．
図９は、本発明の実施の形態６に係る加熱調理器の斜視図である。図９は、加熱調理器７を前側から示している。図６及び図７に示す実施の形態５の加熱調理器５と同一の構成要素及び仮想線には同一の符号が付されている。尚、図９においては省略されているが、左側の横側面１０Ｌには、図６に示す第１識別部１１０と同様の識別部が設けられている。本実施の形態６において、操作パネル３０には、第１加熱領域２１のための第２識別部１０６と、第２加熱領域２２のための第２識別部１１６と、第３加熱領域２３のための第２識別部１２６が設けられている。
【００７５】
図９には、延長線１０７と延長線１０８、延長線１１７と延長線１１８、及び延長線１２７と延長線１２８が示されている。延長線１０７と延長線１０８は、第２識別部１０６と第１加熱領域２１との位置関係を示すための仮想線である。延長線１１７と延長線１１８は、第２識別部１１６と第２加熱領域２２との位置関係を示すための仮想線である。延長線１２７と延長線１２８は、第２識別部１２６と第３加熱領域２３との位置関係を示すための仮想線である。
【００７６】
第２識別部１０６は、第１加熱領域２１の本体１０における左右方向の範囲を示すための識別部であり、端部指示部１０６Ｂと端部指示部１０６Ｃとを有している。端部指示部１０６Ｂは、第１加熱領域２１の右側の端部を示す右端部であり、端部指示部１０６Ｃは、第１加熱領域２１の左側の端部を示す左端部である。延長線１０７は、端部指示部１０６Ｂの形成位置からトッププレート２０の表面を前後方向に沿って本体１０の中心に向かって延びている。延長線１０８は、端部指示部１０６Ｃの形成位置からトッププレート２０の表面を前後方向に沿って本体１０の中心に向かって延びている。延長線１０７上に、第１加熱領域２１の右端部が位置し、延長線１０８上に、第１加熱領域２１の左端部が位置するよう、端部指示部１０６Ｂ及び端部指示部１０６Ｃは位置決めされている。
【００７７】
第２識別部１１６は、第２加熱領域２２の本体１０における左右方向の範囲を示すための識別部であり、端部指示部１１６Ｂと端部指示部１１６Ｃとを有している。端部指示部１１６Ｂは、第２加熱領域２２の右側の端部を示す右端部であり、端部指示部１１６Ｃは、第２加熱領域２２の左側の端部を示す左端部である。延長線１１７は、端部指示部１１６Ｂの形成位置からトッププレート２０の表面を前後方向に沿って本体１０の中心に向かって延びている。延長線１１８は、端部指示部１１６Ｃの形成位置からトッププレート２０の表面を前後方向に沿って本体１０の中心に向かって延びている。延長線１１７上に、第２加熱領域２２の右端部が位置し、延長線１１８上に、第２加熱領域２２の左端部が位置するよう、端部指示部１１６Ｂ及び端部指示部１１６Ｃは位置決めされている。
【００７８】
第２識別部１２６は、第３加熱領域２３の本体１０における左右方向の範囲を示すための識別部であり、端部指示部１２６Ｂと端部指示部１２６Ｃとを有している。端部指示部１２６Ｂは、第３加熱領域２３の右側の端部を示す右端部であり、端部指示部１２６Ｃは、第３加熱領域２３の左側の端部を示す左端部である。延長線１２７は、端部指示部１２６Ｂの形成位置からトッププレート２０の表面を前後方向に沿って本体１０の中心に向かって延びている。延長線１２８は、端部指示部１２６Ｃの形成位置からトッププレート２０の表面を前後方向に沿って本体１０の中心に向かって延びている。延長線１２７上に、第３加熱領域２３の右端部が位置し、延長線１２８上に、第３加熱領域２３の左端部が位置するよう、端部指示部１２６Ｂ及び端部指示部１２６Ｃは位置決めされている。
【００７９】
第２識別部１０６の端部指示部１０６Ｂと端部指示部１０６Ｃ、第２識別部１１６の端部指示部１１６Ｂと端部指示部１１６Ｃ、及び第２識別部１２６の端部指示部１２６Ｂと端部指示部１２６Ｃは、それぞれ、薄板状の矩形の部材である。端部指示部１０６Ｂ及び端部指示部１０６Ｃ、並びに端部指示部１１６Ｂ及び端部指示部１１６Ｃは、同一の大きさを有している。端部指示部１２６Ｂ及び端部指示部１２６Ｃは、同一の大きさを有している。端部指示部１０６Ｂ及び端部指示部１０６Ｃ、並びに端部指示部１１６Ｂ及び端部指示部１１６Ｃは、端部指示部１２６Ｂ及び端部指示部１２６Ｃよりも大きい。
【００８０】
本実施の形態６によれば、第１識別部１００、第１識別部１１０、及び第１識別部１２０は、実施の形態１と同様、本体１０の側面に形成されている。また、第２識別部１０６、第２識別部１１６、及び第２識別部１２６は、操作パネル３０の他のスイッチ群よりも前方に形成されている。従って、実施の形態１及び実施の形態２の上述の効果と同様の効果を得ることができる。
【００８１】
また、第２識別部１０６の端部指示部１０６Ｃと第２識別部１２６の端部指示部１２６Ｂは互いに近傍に位置し、第２識別部１１６の端部指示部１０６Ｂと第２識別部１２６の端部指示部１２６Ｃは互いに近傍に位置することになる。しかしながら、本実施の形態６によれば、端部指示部１０６Ｃは端部指示部１２６Ｂより大きく、端部指示部１１６Ｂは端部指示部１２６Ｃより大きい。従って、使用者は、第１加熱領域２１、第２加熱領域２２、及び第３加熱領域２３の範囲を、容易に区別することができる。
【００８２】
尚、実施の形態１〜実施の形態６では、熱源部とこの熱源部に対応する加熱領域の数が３つの場合で説明したが、これに限らず、例えば２つの場合であってもよい。また、検知手段をタッチセンサーで構成した場合で説明したが、これに限らず、例えば、機械式の検知手段で構成してもよい。
【００８３】
また、実施の形態１〜実施の形態６では、第３加熱領域２３の本体１０における前後方向の位置を示すための第１識別部は横側面１０Ｒに設けられているがこれに限るものではない。第３加熱領域２３の第１識別部を横側面１０Ｌに設けてもよいし、横側面１０Ｒ及び横側面１０Ｌの双方に設けてもよい。
【００８４】
また、実施の形態２〜実施の形態６においても、実施の形態１と同様、第１識別部及び第２識別部にタッチセンサーを設け、第１識別部及び第２識別部が接触されたことを検知するよう構成してもよい。そして、接触された第１識別部及び第２識別部がどの加熱領域に対応しているのかを、音声メッセージにより報知してもよい。
【００８５】
尚、実施の形態１〜実施の形態６の加熱調理器を適宜組み合わせて構成してもよい。
【符号の説明】
【００８６】
１  加熱調理器、２  加熱調理器、３  加熱調理器、４  加熱調理器、５  加熱調理器、６  加熱調理器、７  加熱調理器、１０  本体、１０Ｆ  前側面、１０Ｌ  横側面、１０Ｒ  横側面、１１  制御手段、１４  検知手段、１５  音声報知手段、２０  トッププレート、２１  第１加熱領域、２１Ｃ  中心、２２  第２加熱領域、２２Ｃ  中心、２３  第３加熱領域、２３Ｃ  中心、３０  操作パネル、３０Ａ  電源スイッチ、３１  第１スイッチ群、３１Ａ  第１オンオフスイッチ、３１Ｂ  第１モード選択スイッチ、３１Ｃ  第１ＵＰスイッチ、３１Ｄ  第１ＤＯＷＮスイッチ、３２  第２スイッチ群、３２Ａ  第２オンオフスイッチ、３２Ｂ  第２モード選択スイッチ、３２Ｃ  第２ＵＰスイッチ、３２Ｄ  第２ＤＯＷＮスイッチ、３３  第３スイッチ群、３３Ａ  第３オンオフスイッチ、３３Ｃ  第３ＵＰスイッチ、３３Ｄ  第３ＤＯＷＮスイッチ、４１  タッチセンサー、４２  タッチセンサー、４３  タッチセンサー、４４  タッチセンサー、４５  タッチセンサー、４６  タッチセンサー、５０  第１識別部、５１  第２識別部、５２  延長線、５３  延長線、５４  第２識別部、５５  延長線、５６  第２識別部、５７  延長線、６０  第１識別部、６１  第２識別部、６２  延長線、６３  延長線、６４  第２識別部、６５  延長線、６６  第２識別部、６７  延長線、７０  第１識別部、７１  第２識別部、７２  延長線、７３  延長線、７４  第２識別部、７５  延長線、７６  第２識別部、７７  延長線、８０  第１識別部、８１  第２識別部、８２  延長線、８３  延長線、１００  第１識別部、１００Ａ  長尺部、１００Ｂ  端部指示部、１００Ｃ  端部指示部、１０１  第２識別部、１０１Ａ  長尺部、１０１Ｂ  端部指示部、１０１Ｃ  端部指示部、１０２  延長線、１０３  延長線、１０４  延長線、１０５  延長線、１０６  第２識別部、１０６Ｂ  端部指示部、１０６Ｃ  端部指示部、１０７  延長線、１０８  延長線、１１０  第１識別部、１１０Ａ  長尺部、１１０Ｂ  端部指示部、１１０Ｃ  端部指示部、１１１  第２識別部、１１１Ａ  長尺部、１１１Ｂ  端部指示部、１１１Ｃ  端部指示部、１１２  延長線、１１３  延長線、１１４  延長線、１１５  延長線、１１６  第２識別部、１１６Ｂ  端部指示部、１１６Ｃ  端部指示部、１１７  延長線、１１８  延長線、１２０  第１識別部、１２０Ａ  長尺部、１２０Ｂ  端部指示部、１２０Ｃ  端部指示部、１２１  第２識別部、１２１Ａ  長尺部、１２１Ｂ  端部指示部、１２１Ｃ  端部指示部、１２２  延長線、１２３  延長線、１２４  延長線、１２５  延長線、１２６  第２識別部、１２６Ｂ  端部指示部、１２６Ｃ  端部指示部、１２７  延長線、１２８  延長線。
【図１】
2019168122.tif 000003
【図２】
2019168122.tif 000004
【図３】
2019168122.tif 000005
【図４】
2019168122.tif 000006
【図５】
2019168122.tif 000007
【図６】
2019168122.tif 000008
【図７】
2019168122.tif 000009
【図８】
2019168122.tif 000010
【図９】
2019168122.tif 000011